(57)【要約】  導波管と、導波管の一端を覆うように接続された誘電体基板と、誘電体基板の表面に設けられたストリップ導体と、誘電体基板の表面に設けられ、ストリップ導体に接続された導体板と、誘電体基板の裏面に設けられた地導体と、導体板の周辺と地導体を接続する複数の接続導体とを備え、接続領域の地導体に開口を設け、ストリップ導体と地導体でマイクロストリップ線路を形成し、前記マイクロストリップ線路の長手方向に並び、かつ導体板の対抗する両側に設けられた２列の接続導体の列間隔を、開口付近よりも接続部付近の方が狭くなるように接続導体を配置する。
2010098191.tif 000002
【特許請求の範囲】
【請求項１】
導波管と、
前記導波管の一端を覆うように接続された誘電体基板と、
前記誘電体基板の一方の面の端部に設けられたストリップ導体と、
前記誘電体基板の一方の面の略中央に設けられ、前記ストリップ導体に接続された導体板と、
前記導波管と前記誘電体基板の接続領域を除く、前記誘電体基板の他方の面に設けられた地導体と、
前記ストリップ導体と前記導体板を接続する部分を除く、前記導体板の周辺と前記地導体を接続する複数の接続導体とを備え、
前記導波管と前記誘電体基板の接続領域の前記地導体に開口を設け、
前記導体板は前記誘電体基板を介して前記開口を覆うように設け、
前記ストリップ導体と前記地導体でマイクロストリップ線路を形成し、
前記マイクロストリップ線路の長手方向に並び、かつ前記導体板の対抗する両側に設けられた２列の接続導体の列間隔を、前記開口付近よりも前記ストリップ導体と前記導体板の接続部付近の方が狭くなるように接続導体を配置する
ことを特徴とする導波管マイクロストリップ線路変換器。
【請求項２】
前記ストリップ導体と前記導体板の接続部付近の前記導体板に切り欠きを設けた
ことを特徴とする請求項１記載の導波管マイクロストリップ線路変換器。
【請求項３】
前記導波管内の信号伝搬方向の中心及び管壁に並行な面を通り、前記誘電体基板に対して垂直な面を通り、前記マイクロストリップ線路の長手方向に対して垂直な面を通る断面について対称構造である
ことを特徴とする請求項１又は２記載の導波管マイクロストリップ線路変換器。
【請求項４】
前記開口は、前記導波管の信号伝搬方向に垂直な断面よりも内側に配置される
ことを特徴とする請求項１から請求項３までのいずれかに記載の導波管マイクロストリップ線路変換器。
【発明の詳細な説明】
【技術分野】
【０００１】
この発明は、マイクロ波やミリ波などの回路に用いることができる導波管マイクロストリップ線路変換器に関し、より詳細には、導波管を伝搬する電力とマイクロストリップ線路を伝搬する電力を相互に変換する導波管マイクロストリップ線路変換器に関するものである。
【背景技術】
【０００２】
導波管マイクロストリップ線路変換器は、導波管とマイクロストリップ線路を接続するために広く用いられる。導波管マイクロストリップ線路変換器として、導波管断面に誘電体基板により形成した誘電体充填導波管を接続し、この誘電体充填導波管内にスロットや導体パターンを設ける構成が提案されている（例えば、特許文献１参照）。【０００３】
従来の導波管マイクロストリップ線路変換器では、誘電体基板内に導体パターンと各導体パターンを接続する接続導体により形成した誘電体充填導波管や誘電体基板内に設けられたスロットや導体パターンの寸法を調整することで、インピーダンス整合を行う。
【先行技術文献】
【特許文献】
【０００４】
【特許文献１】特許第３６７２２４１号公報（図１など）
【発明の概要】
【発明が解決しようとする課題】
【０００５】
しかしながら、従来技術には、以下のような課題がある。従来の導波管マイクロストリップ線路変換器では、導体パターンと接続導体によりポスト壁導波管を構成しているため、接続導体列はほぼ一直線である。このため、ポスト壁導波管断面が大きい場合、マイクロストリップ線路と導波管が接続される接続部からの放射を抑制することができないため、導波管マイクロスストリップ線路変換器の放射が大きくなる。【０００６】
本発明は、前記のような課題を解決するためになされたものであり、マイクロストリップ線路と導波管が接続される接続部からの放射を抑えることができる導波管マイクロストリップ線路変換器を得ることを目的とする。
【課題を解決するための手段】
【０００７】
本発明に係る導波管マイクロストリップ線路変換器は、導波管と、前記導波管の一端を覆うように接続された誘電体基板と、前記誘電体基板の一方の面の端部に設けられたストリップ導体と、前記誘電体基板の一方の面の略中央に設けられ、前記ストリップ導体に接続された導体板と、前記導波管と前記誘電体基板の接続領域を除く、前記誘電体基板の他方の面に設けられた地導体と、前記ストリップ導体と前記導体板を接続する部分を除く、前記導体板の周辺と前記地導体を接続する複数の接続導体とを備え、前記導波管と前記誘電体基板の接続領域の前記地導体に開口を設け、前記導体板は前記誘電体基板を介して前記開口を覆うように設け、前記ストリップ導体と前記地導体でマイクロストリップ線路を形成し、前記マイクロストリップ線路の長手方向に並び、かつ前記導体板の対抗する両側に設けられた２列の接続導体の列間隔を、前記開口付近よりも前記ストリップ導体と前記導体板の接続部付近の方が狭くなるように接続導体を配置するものである。
【発明の効果】
【０００８】
本発明に係る導波管マイクロストリップ線路変換器によれば、マイクロストリップ線路の長手方向に並び、かつ導体板の対抗する両側に設けられた２列の接続導体の列間隔を、開口付近よりもストリップ導体と導体板の接続部付近の方が狭くなるように接続導体を配置することにより、接続部でのポスト壁導波管の断面が小さくなるため、放射量を抑えることができる。
【図面の簡単な説明】
【０００９】
【図１】この発明の実施例１に係る導波管マイクロストリップ線路変換器の構成を示す平面図である。
【図２】図１におけるＡ−Ａ'線の断面図である。
【図３】この発明の実施例２に係る導波管マイクロストリップ線路変換器の構成を示す平面図である。
【図４】この発明の実施例３に係る導波管マイクロストリップ線路変換器の構成を示す平面図である。
【図５】図４におけるＢ−Ｂ'線の断面図である。
【図６】この発明の実施例４に係る導波管マイクロストリップ線路変換器の構成を示す平面図である。
【図７】図６におけるＤ−Ｄ'線の断面図である。
【発明を実施するための形態】
【００１０】
以下、本発明の導波管マイクロストリップ線路変換器の好適な実施例につき図面を用いて説明する。
【実施例１】
【００１１】
この発明の実施例１に係る導波管マイクロストリップ線路変換器について図１及び図２を参照しながら説明する。図１は、この発明の実施例１に係る導波管マイクロストリップ線路変換器の構成を示す平面図である。また、図２は、図１におけるＡ−Ａ'線の断面図である。なお、以降では、各図中、同一符号は同一又は相当部分を示す。【００１２】
図１及び図２において、この発明の実施例１に係る導波管マイクロストリップ線路変換器は、長方形（矩形）の誘電体基板１０１と、誘電体基板１０１の表面に形成されたストリップ導体１０２と、誘電体基板１０１の表面に形成された漢字「凸」字状の導体板１０３と、誘電体基板１０１の裏面全体（開口１０８を除く）に形成された地導体１０４と、ストリップ導体１０２と導体板１０３を接続する辺を除く、導体板１０３の辺（縁）付近の周辺と地導体１０４を接続する円柱状の１３本（複数）の接続導体１０６と、矩形の導波管１０７とが設けられ、導波管１０７を伝搬する電力と、誘電体基板１０１の裏面に設けられた地導体１０４及び表面に設けられたストリップ導体１０２からなるマイクロストリップ線路を伝搬する電力とを相互に変換する。【００１３】
また、ストリップ導体１０２及び導体板１０３は、接続部１０５で接続されている。矩形の開口１０８は、導波管１０７内で地導体１０４に設けられている。導波管１０７の入出力端１０９は、図２の下側に示されている。ストリップ導体１０２と地導体１０４で形成されたマイクロストリップ線路の入出力端１１０は、図１の左側に示されている。ポスト壁導波管１１１は、導体板１０３、地導体１０４及び接続導体１０６により構成される。接続部１０５付近の接続導体１０６の列の間隔Ｄ１は、開口１０８付近の接続導体１０６の列の間隔Ｄ２よりも狭くなっている（Ｄ１＜Ｄ２）。【００１４】
つぎに、この実施例１に係る導波管マイクロストリップ線路変換器の動作について図面を参照しながら説明する。【００１５】
導波管１０７の入出力端１０９から入力された高周波信号は、開口１０８を介して、ポスト壁導波管１１１に出力される。ポスト壁導波管１１１に出力された高周波信号は、接続部１０５を介して、マイクロストリップ線路の入出力端１１０から出力される。ここで、インピーダンス整合されるように接続導体１０６の並び方を決定する。以上のように、この実施例１は導波管マイクロストリップ線路変換器として動作する。【００１６】
上記のように、この実施例１では、接続部１０５付近における、マイクロストリップ線路の長手方向の２列の接続導体１０６の列間隔Ｄ１が、開口１０８付近よりも狭くなっていることから、接続部１０５付近から導波管マイクロストリップ線路変換器外へ放射される電力が小さくなる効果がある。【００１７】
なお、この実施例１では、開口１０８の大きさ（形状）は導波管１０７の断面と同じであるがこれに限るものではなく、開口１０８は導波管１０７の断面よりも内側に配置されても良く、導波管１０７の断面を覆うように外側にあっても良い。つまり、開口１０８の大きさ（形状）は導波管１０７の断面より小さくても良いし、大きくても良い。【００１８】
また、この実施例１では、導体板１０３が矩形の場合を説明したがこれに限るものではなく、円形や多角形など他の形状でも良い。【００１９】
さらに、この実施例１では、開口１０８が矩形の場合を説明したがこれに限るものではなく、円形や多角形など他の形状でも良い。接続導体１０６が円柱状の場合を説明したがこれに限るものではなく、四角柱状や多角柱状など他の形状でも良い。【００２０】
以上のように、この実施例１によれば、接続部１０５付近における、マイクロストリップ線路の長手方向の２列の接続導体１０６の列間隔Ｄ１を、導波管１０７の開口１０８付近よりもマイクロストリップ線路と導波管１０７の接続部１０５付近の方が狭くなるように接続導体１０６を配置することにより、接続部１０５でのポスト壁導波管１１１の断面が小さくなるため、放射量を抑えることができる。
【実施例２】
【００２１】
この発明の実施例２に係る導波管マイクロストリップ線路変換器について図３を参照しながら説明する。図３は、この発明の実施例２に係る導波管マイクロストリップ線路変換器の構成を示す平面図である。【００２２】
図３において、２つの切り欠き２０１は、導体板１０３に設けられている。他の構成は、上記の実施例１と同様である。【００２３】
つぎに、この実施例２に係る導波管マイクロストリップ線路変換器の動作について説明する。【００２４】
この実施例２の動作は、上記の実施例１と同様である。ただし、切り欠き２０１の位置及び形状を調整することでインピーダンス整合が行えるため、インピーダンス整合が容易となる効果がある。
【実施例３】
【００２５】
この発明の実施例３に係る導波管マイクロストリップ線路変換器について図４及び図５を参照しながら説明する。図４は、この発明の実施例３に係る導波管マイクロストリップ線路変換器の構成を示す平面図である。また、図５は、図４におけるＢ−Ｂ'線の断面図である。【００２６】
図４及び図５において、２つのストリップ導体３０２、３０３と導体板１０３はそれぞれ接続部３０４、３０５により接続されている。この導波管マイクロストリップ線路変換器は、導波管１０７の入出力端１０９と、マイクロストリップ線路の入出力端３０６、３０７の３つの入出力端がある。ポスト壁導波管３０８、３０９は、接続導体１０６、地導体１０４及び導体板１０３により構成される。【００２７】
つぎに、この実施例３に係る導波管マイクロストリップ線路変換器の動作について説明する。【００２８】
導波管１０７の入出力端１０９から入力された高周波信号は、開口１０８を介して、ポスト壁導波管３０８、３０９に出力される。ただし、この実施例３に係る導波管マイクロストリップ線路変換器は、図４におけるＣ−Ｃ'線の断面で対称構造であるためＣ−Ｃ'線の断面に電気壁を仮定できることから、ポスト壁導波管３０８、３０９へは高周波信号が互いに逆相で出力される。そして、ポスト壁導波管３０８、３０９に出力された高周波信号は、接続部３０４、３０５を介してマイクロストリップ線路の入出力端３０６、３０７へそれぞれ出力される。ここで、インピーダンス整合されるように接続導体１０６の並び方、及び切り欠き２０１の寸法を決定する。以上のように、この実施例３では、２つのマイクロストリップ線路から逆相で出力されるような、導波管マイクロストリップ線路変換器を実現できる効果がある。【００２９】
つまり、この実施例３の導波管マイクロストリップ線路変換器は、導波管１０７内の信号伝搬方向の中心及び管壁に並行な面を通り、誘電体基板１０１に対して垂直な面を通り、マイクロストリップ線路の長手方向に対して垂直な面を通る断面（Ｃ−Ｃ'線の断面）について対称構造である。【００３０】
なお、以上の説明では、導波管１０７の入出力端１０９から高周波信号を入力し、マイクロストリップ線路の入出力端３０６、３０７へ出力される場合についてであるが、マイクロストリップ線路の入出力端３０６、３０７から逆相の高周波信号を入力し、導波管１０７の入出力端１０９へ出力される場合も同様である。【００３１】
また、この実施例３では、開口１０８が矩形の場合を示したが、これに限るものではなく、円形や多角形など他の形状でも良い。
【実施例４】
【００３２】
この発明の実施例４に係る導波管マイクロストリップ線路変換器について図６及び図７を参照しながら説明する。図６は、この発明の実施例４に係る導波管マイクロストリップ線路変換器の構成を示す平面図である。また、図７は、図６におけるＤ−Ｄ'線の断面図である。【００３３】
図６及び図７において、開口４０８は、導波管１０７の高周波信号の伝搬方向に垂直な断面よりも内側となるように地導体１０４に設けられている。【００３４】
つぎに、この実施例４に係る導波管マイクロストリップ線路変換器の動作について説明する。【００３５】
この実施例４の動作は、上記の実施例３と同様である。ただし、開口４０８は導波管１０７の断面よりも内側となるように設けられているため、誘電体基板１０１と導波管１０７が製造時に設計の位置とずれて接続されても、開口４０８は導波管１０７の断面内に存在するため、特性劣化が小さいという効果がある。
【符号の説明】
【００３６】
１０１  誘電体基板、１０２  ストリップ導体、１０３  導体板、１０４  地導体、１０５  接続部、１０６  接続導体、１０７  導波管、１０８  開口、１０９  入出力端、１１０  入出力端、１１１  ポスト壁導波管、３０２、３０３  ストリップ導体、３０４、３０５  接続部、３０６、３０７  入出力端、３０８、３０９  ポスト壁導波管、４０８  開口。
【図１】
2010098191.tif 000003
【図２】
2010098191.tif 000004
【図３】
2010098191.tif 000005
【図４】
2010098191.tif 000006
【図５】
2010098191.tif 000007
【図６】
2010098191.tif 000008
【図７】
2010098191.tif 000009
【国際調査報告】
2010098191.tif 000010
2010098191.tif 000011
2010098191.tif 000012
2010098191.tif 000013